(57)【特許請求の範囲】
【請求項１】
商品払出装置を備えた商品収納部と取出口との間に配置され、前記商品払出装置から払い出された商品が転動するシュートと、販売待機時に前記取出口と前記シュートの間を仕切るように構成された搬出扉を有すると共に前記商品収納部前面を開閉自在な内扉を備える自動販売機において、前記シュートの傾斜面は、なだらかな傾斜で奥側から前方へ向かって延在された第１傾斜面と、前記第１傾斜面よりも大きな傾斜を有し前記第１傾斜面の前端から搬出扉の近傍まで延在された第２傾斜面からなり、前記第２傾斜面には複数の面からなる商品誘導部材を前記シュートの左右端の両方またはどちらか一方に有し、前記商品誘導部材は、前記シュートの左右方向の外側から内側に向かうにつれて低くなるように傾斜し、かつ前記第２傾斜面から前方に向かって形成された第１誘導部と、前記第１誘導部の前方に概ね鉛直方向の上向きで連結された第２誘導部を有し、前記商品誘導部材上にて商品の飲み口側または底側が前向きに滑走する場合があっても前記第２誘導部に商品の飲み口側または底側が当接して、直接的に前記内扉には接触せずに飲み口または底側が前記搬出扉の方向へ回動されることを特徴とする自動販売機。
【請求項２】
前記第２誘導部の上端部は、前記シュートの左右方向の外側から内側に向かうにつれて低くなるように傾斜していることを特徴とする請求項１に記載の自動販売機。
【請求項３】
前記第２誘導部は、前記シュートの左右方向の外側奥方向から内側前方向へ向かって形成されたことを特徴とする請求項１または２に記載の自動販売機。
【請求項４】
前記第１誘導部と前記第２誘導部との間に、商品の飲み口側または底側が前記第２誘導部に誘導される際に前記搬出扉の方向に商品を誘導する第３誘導部を設けたことを特徴とする請求項１から３のいずれか一項に記載の自動販売機。
【請求項５】
前記第２誘導部に商品と前記第２誘導部との摩擦抵抗を軽減するビードを１つまたは複数設けたことを特徴とする請求項１から４のいずれか一項に記載の自動販売機。
【請求項６】
前記第３誘導部に商品と前記第３誘導部との摩擦抵抗を軽減するビードを１つまたは複数設けたことを特徴とする請求項４に記載の自動販売機。
【請求項７】
前記第２誘導部は、商品との接触面が凸になる円弧状に形成されたことを特徴とする請求項１から４のいずれか一項に記載の自動販売機。
【発明の詳細な説明】
【技術分野】
【０００１】
本発明は、商品払出装置を備えた商品収納室から搬出された商品をシュートを介して取出口に送出する自動販売機に関するものである。
【背景技術】
【０００２】
従来、この種の自動販売機は、商品収納部から搬出される商品をシュート上を滑走または転動させ取出口まで誘導するために、シュート上に構成した商品誘導部材により取出口に誘導させている（たとえば、特許文献１参照）。
【０００３】
図６は特許文献１に記載された従来の自動販売機を示すものである。図６に示す様に、自動販売機１の図示しない内側天井部に吊り下げられ横方向に複数並ぶ商品収納室２と自動販売機１前面下部に設けられた図示しない取出口との間に、断熱を目的として構成された開閉自在の内扉３と、商品収納室２と取出口との間に商品収納室２より搬出された商品４が滑降または転動するように傾斜して配されたシュート５を備えている。内扉３には商品４が通過可能な大きさの開口部６が設けられており、商品収納室２から商品４が搬出された際に、シュート５上を転動または滑降する商品４を開口部６へ寄せ集めるために、複数の傾斜面からなる商品誘導部材７が設けられている。
【０００４】
以上のように構成された自動販売機について、以下その動作を説明する。
【０００５】
商品収納部２より搬出された商品はシュート上に落下し、取出口の方向へ傾斜したシュート上を転動または滑降しながら移動する。その際、商品はシュート上に構成された商品誘導部材によって横方向に誘導され、内扉の開口部に寄せ集められて取出口まで搬出される。
【特許文献１】特許第３８０７３４８号公報
【発明の開示】
【発明が解決しようとする課題】
【０００６】
しかしながら、上記従来の構成では、商品を横方向に送るために商品誘導部材を斜めに傾斜させて構成しているが、内扉に飲み口が当接する場合、商品と内扉との間に摩擦力が生ずる。したがって、摩擦力により商品が止まらないよう商品誘導部材の傾斜角度を大きく構成する必要があった。また、商品誘導部材の高さ方向の寸法規制（商品の多収容化に伴い商品収納部のスペースを出来る限り大きく確保するため）があるため、商品誘導部材の横方向に対する誘導幅が限られていた。
【０００７】
本発明は、この課題を解決するもので、商品誘導部材の横方向に対する傾斜角度を抑制することで、上下方向の寸法制約による限られたスペースで商品誘導部材を横方向へ延在することが可能となり、商品を横方向に寄せる距離を大きくすることができ、商品誘導性能を向上することができる。
【課題を解決するための手段】
【０００８】
上記従来の課題を解決するために、本発明の自動販売機は、商品払出装置を備えた商品収納部と取出口との間に配置され、前記商品払出装置から払い出された商品が転動するシュートと、販売待機時に前記取出口と前記シュートの間を仕切るように構成された搬出扉を有すると共に前記商品収納部前面を開閉自在な内扉を備える自動販売機において、前記シュートの傾斜面は、なだらかな傾斜で奥側から前方へ向かって延在された第１傾斜面と、前記第１傾斜面よりも大きな傾斜を有し前記第１傾斜面の前端から搬出扉の近傍まで延在された第２傾斜面からなり、前記第２傾斜面には複数の面からなる商品誘導部材を前記シュートの左右端の両方またはどちらか一方に有し、前記商品誘導部材は、前記シュートの左右方向の外側から内側に向かうにつれて低くなるように傾斜し、かつ前記第２傾斜面から前方に向かって形成された第１誘導部と、前記第１誘導部の前方に概ね鉛直方向の上向きで連結された第２誘導部を有し、前記商品誘導部材上にて商品の飲み口側または底側が前向きに滑走する場合があっても前記第２誘導部に商品の飲み口側または底側が当接して、直接的に前記内扉には接触せずに飲み口または底側が前記搬出扉の方向へ回動されることを特徴としている。
【０００９】
商品誘導部材上にて商品の飲み口側または底側が前向きに滑走する場合があっても第２誘導部に商品の飲み口側または底側が当接して、直接的に内扉には接触せずに飲み口または底側が搬出扉の方向へ回動されることから、商品払出時のシュート上での商品誘導性を向上することができるため、商品誘導部材の傾斜角度を小さくすることができ、限られたスペースで商品の送出性を向上することができる。この結果、搬出扉をコンパクトにすることができ、断熱性能の向上、および搬出扉の軽量化による送出性能の向上とコスト削減の目的が達成できる。
【発明の効果】
【００１０】
本発明の自動販売機は、商品誘導部材上にて商品の飲み口側または底側が前向きに滑走する場合があっても第２誘導部に商品の飲み口側または底側が当接して、直接的に内扉には接触せずに飲み口または底側が搬出扉の方向へ回動されることから、商品払出時のシュート上での商品誘導性を向上することができるため、商品誘導部材の傾斜角度を小さくすることができるため、限られたスペースでの商品誘導性能を向上でき、搬出扉のコンパクト化が図れることにより、断熱性能の向上および搬出扉軽量化による搬出性能向上とコスト削減ができる。
【発明を実施するための最良の形態】
【００１１】
請求項１に記載の発明は、
商品払出装置を備えた商品収納部と取出口との間に配置され、前記商品払出装置から払い出された商品が転動するシュートと、販売待機時に前記取出口と前記シュートの間を仕切るように構成された搬出扉を有すると共に前記商品収納部前面を開閉自在な内扉を備える自動販売機において、前記シュートの傾斜面は、なだらかな傾斜で奥側から前方へ向かって延在された第１傾斜面と、前記第１傾斜面よりも大きな傾斜を有し前記第１傾斜面の前端から搬出扉の近傍まで延在された第２傾斜面からなり、前記第２傾斜面には複数の面からなる商品誘導部材を前記シュートの左右端の両方またはどちらか一方に有し、前記商品誘導部材は、前記シュートの左右方向の外側から内側に向かうにつれて低くなるように傾斜し、かつ前記第２傾斜面から前方に向かって形成された第１誘導部と、前記第１誘導部の前方に概ね鉛直方向の上向きで連結された第２誘導部を有し、前記商品誘導部材上にて商品の飲み口側または底側が前向きに滑走する場合があっても前記第２誘導部に商品の飲み口側または底側が当接して、直接的に前記内扉には接触せずに飲み口または底側が前記搬出扉の方向へ回動されることにより、商品払出装置から搬出された商品がシュート上を長手方向と同方向に滑走する場合、商品誘導部材上にて商品の飲み口側（または底側）が前向きに滑走する場合があっても前記第２誘導部に商品の飲み口側（または底側）が当接し、直接的に内扉には接触せずに飲み口（または底側）が搬出扉の方向へ回動されることで、搬出扉まで誘導することがでる。また、商品誘導部材の傾斜角度を抑制することができるため、限られたスペースでの商品誘導性能を向上でき、搬出扉のコンパクト化が図れ、断熱性能の向上および搬出扉軽量化による搬出性能向上とコスト削減ができる。
【００１３】
また、請求項２に記載の発明は、請求項１に記載の発明において、前記第２誘導部の上端部は、前記シュートの左右方向の外側から内側に向かうにつれて低くなるように傾斜しているため、万一前記第２誘導部を乗り上げた場合でも前記第２誘導部の前記上端部の傾斜に沿って商品を搬出扉まで誘導することができる。
【００１４】
また、請求項３に記載の発明は、請求項１または２に記載の発明において、前記第２誘導部は、前記シュートの左右方向の外側奥方向から内側前方向へ向かって形成されているため、前記第２誘導部と当接した商品の飲み口側（または底側）を搬出扉の方向へ姿勢を誘導することができる。
【００１５】
また、請求項４に記載の発明は、請求項１から３のいずれか一項に記載の発明において、前記第１誘導部と前記第２誘導部との間に、商品の飲み口側または底側が前記第２誘導部に誘導される際に前記搬出扉の方向に商品を誘導する第３誘導部を設けたことにより、第２誘導部により姿勢が搬出扉方向へ誘導された商品を搬出扉までスムーズに誘導することができる。
【００１６】
また、請求項５に記載の発明は、請求項１から４のいずれか一項に記載の発明において、前記第２誘導部に商品と前記第２誘導部との摩擦抵抗を軽減するビードを１つまたは複数設けたことにより、前記第２誘導部と当接した商品の飲み口側（または底側）を搬出扉の方向へ姿勢を誘導する際に摩擦抵抗を低減することができスムーズに商品を搬出扉の方向へ誘導することができる。
【００１７】
また、請求項６に記載の発明は、請求項４に記載の発明において、前記第３誘導部に商品と前記第３誘導部との摩擦抵抗を軽減するビードを１つまたは複数設けたことにより、第２誘導部により姿勢が搬出扉方向へ誘導された商品を搬出扉まで誘導する際に摩擦抵抗を低減することができ、スムーズに商品を搬出扉の方向へ誘導することができる。
【００１８】
また、請求項７に記載の発明は、請求項１から４のいずれか一項に記載の発明において、前記第２誘導部は、商品との接触面が凸になる円弧状に形成されたことにより、前記第２誘導部と当接した商品の飲み口側（または底側）を搬出扉の方向へ姿勢を誘導する際に摩擦抵抗を低減することができスムーズに商品を搬出扉の方向へ誘導することができる。
【００１９】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２０】
（実施の形態１）
図１は、本発明の実施の形態１における自動販売機の側面図である。
【００２１】
図１で本発明の自動販売機１０１は自動販売機本体１０２とその前面を開閉する外扉１０３を備えている。外扉１０３と自動販売機本体１０２の間には内扉１０４が配置され、自動販売機本体１０２の前面を開閉自在に構成されている。自動販売機本体１０２内には缶商品などを収納する複数の商品収納部１０５を形成し、商品は上下に積み重ねて収納されている。商品収納部１０５の下部には、選択された商品を搬出する商品払出装置１０６が商品収納部１０５ごとに配置されている。
【００２２】
商品払出装置１０６の下方には、搬出された商品を外扉１０３に構成した取出口１０７へ排出するシュート１０８が傾斜配置して形成されている。また内扉１０４の下部には搬出扉１０９があり、取出口１０７とシュート１０８の間に構成され、販売待機時は搬出扉１０９によって、この間が仕切られている状態となっている。
【００２３】
シュート１０８の下部には、冷却システムを構成する蒸発器１１０や加温装置（図示しない）が配置され、各室へは庫内ファン１１１によって収納室内を所定温度に冷却または加温する。
【００２４】
また自動販売機本体１０２の下部には断熱板１１２で区画された機械室１１３が形成されており、機械室１１３の前方側には冷却システムの凝縮器１１４を配置し、その後方に凝縮器ファン１１５が備えられ、凝縮器ファン１１５によって自動販売機１０１の前方から空気を吸い込み凝縮器１１４を通過して風下側にある蒸発皿（図示しない）や圧縮機１１６に導かれる構成となっている。
【００２５】
図２は本発明の実施の形態１におけるシュートの斜視図である。
【００２６】
シュート１０８の傾斜面１１７は、比較的なだらかな傾斜で形成された第１傾斜面１１７ａと第１傾斜面１１７ａより大きな傾斜を有する第２傾斜面１１７ｂからなり、第２傾斜面１１７ｂには複数の面からなる商品誘導部材１１８がシュート１０８のそれぞれ左右端またはどちらか一方に配されている。シュート１０８の第２傾斜面１１７ｂに対し外方から内方へ傾斜し、かつ奥方向から搬出扉１０９方向に向かって形成された第１誘導部１１８ａと、第１誘導部１１８ａの前方に第３誘導部１１８ｂを介して第２誘導部１１８ｃが形成されている。第２誘導部１１８ｃは概ね鉛直方向になる様に形成されている。また、第２誘導部１１８ｃの上端部１１８ｄは外方から内方に向かって傾斜して形成されている。また、第２誘導部１１８ｃは外側奥方向から内側前方向へ向かって形成されている。また第３誘導部１１８ｂは外方から内方へ傾斜して形成されている。
【００２７】
第２誘導部１１８ｃの表面には外方から内方へ向かってビード１１９ａが複数設けられている。また、第３誘導部１１８ｂの表面には外方から内方へ向かってビード１１９ｂが複数設けている。
【００２８】
以上のように構成された自動販売機について、以下その動作、作用を説明する。
【００２９】
商品１２０購入時に任意の商品払出装置１０６作動により、商品１２０は商品収納部１０５の下積みの方から１個だけ搬出される。この時商品１２０はシュート１０８に接触するまで自由落下し、それ以降は、商品１２０はシュート１０８の傾斜面１１７上を滑降または転動し、途中商品誘導部材１１８による方向規制を受けつつ取出口１０７の方に誘導される。この、商品１２０がシュート１０８上を滑降または転動して取出口１０７まで誘導される過程について以下説明する。
【００３０】
図３は一般的な商品１２０が商品払出装置１０６作動により搬出された場合の動作を示す図である。
【００３１】
商品１２０が滑降または転動してシュート上を移動する場合においては、通常商品誘導部材１１８の任意の商品誘導部（１１８ａ〜１１８ｃ）により、搬出扉１０９へ寄せ集められ、搬出扉１０９を通過して取出口１０７へ誘導される。この商品１２０の搬出過程では多数の誘導経路があるが、商品払出装置１０６から搬出された商品１２０がシュート１０８上を長手方向と同方向に滑走する場合、商品誘導部材１１８上にて商品１２０の飲み口側または底側が内扉１０４に接触する場合がある。
【００３２】
この場合、内扉１０４と商品１２０との間に摩擦抵抗が働くため、商品１２０を搬出扉１０９へ誘導するには、摩擦抵抗に勝る送出力すなわち商品誘導部材１１８の横方向に対する傾斜角が通常は必要となる。しかしながら、本発明の第２誘導部１１８ｃの構成により、商品１２０の飲み口側（または底側）が前方向で滑走した場合でも、第２誘導部１１８ｃは概ね鉛直方向に形成されているため、商品１２０の飲み口側（または底側）が第２誘導部１１８ｃに当接するため、直接的に内扉１０４に接触することない。
【００３３】
また、第２誘導部１１８ｃは、外側奥方向から内側前方向へ向かって形成されているため、第２誘導部１１８ｃに当接した商品１２０の飲み口側（または底側）は第２誘導部１１８ｃにより、搬出扉１０９の方向へ誘導される（図３の矢印方向）。また、この際に第２誘導部１１８ｃに設けられたビード１１９ａにより、商品１２０と第２誘導部１１８ｃとの摩擦抵抗を軽減できるため、商品１２０の誘導性が向上する。
【００３４】
また、図４は商品が搬出扉１０９の方向へ誘導される動作を示す図である。
【００３５】
第３誘導部１１８ｂが外方から内方に向かって傾斜し、かつ搬出扉１０９の方向へ形成されているため、商品１２０の飲み口側（または底側）が第２誘導部１１８ｃに誘導される際に搬出扉１０９の方向に商品１２０を確実に誘導することができる。また、第３誘導部１１８ｂに設けられたビード１１９ｂにより、商品１２０と第３誘導部１１８ｂとの摩擦抵抗を軽減できるため、商品１２０の誘導性が向上する。
【００３６】
一方、図５に示すように、第２誘導部１１８ｃは奥側から前方に向かって円弧状に形成されてもよい。商品１２０の飲み口側（または底側）が前方向で滑走した場合でも、第２誘導部１１８ｃに当接した商品１２０の飲み口側（または底側）は第２誘導部１１８ｃにより、搬出扉１０９の方向へ誘導される。
【００３７】
また、このとき、第２誘導部１１８ｃは円弧状に形成されているため、商品１２０の飲み口側（または底側）が第２誘導部１１８ｃに当接する際、不安定な接触の関係となるため、搬出扉１０９の方向に姿勢を回動されやすくなり、商品１２０の誘導性が向上する。
【産業上の利用可能性】
【００３８】
以上のように、本発明にかかる自動販売機は、商品払出時のシュート上での商品誘導性を向上することができるため、商品誘導部材の傾斜角度を小さくすることができ、限られたスペースで商品の送出性を向上することができ、搬出扉をコンパクトにすることができ、断熱性能の向上、および搬出扉の軽量化による送出性能の向上とコスト削減ができるので、例えば、缶飲料の自動販売機に適している。
【図面の簡単な説明】
【００３９】
【図１】本発明の実施の形態１における自動販売機の側面図
【図２】同実施の形態の自動販売機の要部斜視図
【図３】同実施の形態の自動販売機の動作説明図
【図４】同実施の形態の自動販売機の動作説明図
【図５】同実施の形態の自動販売機の要部斜視図
【図６】従来の自動販売機の側面図
【符号の説明】
【００４０】
１０１  自動販売機
１０４  内扉
１０５  商品収納部
１０６  商品払出装置
１０７  取出口
１０８  シュート
１０９  搬出扉
１１７  傾斜面
１１７ａ  第１傾斜面
１１７ｂ  第２傾斜面
１１８  商品誘導部材
１１８ａ  第１誘導部
１１８ｂ  第３誘導部
１１８ｃ  第２誘導部
１１８ｄ  上端部
１１９ａ  ビード
１１９ｂ  ビード
１２０  商品
【図２】
0005343402.tif 000002
【図３】
0005343402.tif 000003
【図４】
0005343402.tif 000004
【図５】
0005343402.tif 000005
【図６】
0005343402.tif 000006
【図１】
0005343402.tif 000007